(57)【要約】【課題】外光反射を最少化して、画面の視認性を高くすることができる有機発光表示装置を提供する。【解決手段】有機発光素子が形成された基板と、有機発光素子を覆って基板上に固定される封止部材とを含む。封止部材はフォトクロミック物質を含み、外光によってフォトクロミック物質の固有色を放出する。【選択図】図4
2010153352.tif 000002
【特許請求の範囲】
【請求項１】
有機発光素子が形成された基板と、
前記有機発光素子を覆って前記基板上に固定される封止部材と、を含み、
前記封止部材はフォトクロミック物質を含み、外光によってフォトクロミック物質の固有色を放出することを特徴とする有機発光表示装置。
【請求項２】
前記基板は半導体基板としての第１基板であり、前記封止部材は封止基板としての第２基板であることを特徴とする請求項１に記載の有機発光表示装置。
【請求項３】
前記第２基板はガラスで形成されたことを特徴とする請求項２に記載の有機発光表示装置。
【請求項４】
前記第１基板と前記第２基板とが重なる領域に位置したフォトセンサーをさらに含むことを特徴とする請求項２または３に記載の有機発光表示装置。
【請求項５】
前記封止部材は薄膜封止層であり、
前記薄膜封止層は互いに一つずつ交互に積層される複数の無機膜と複数の有機膜を含むことを特徴とする請求項１に記載の有機発光表示装置。
【請求項６】
前記複数の無機膜と前記複数の有機膜のうち、前記基板から最も遠く離れた膜が前記フォトクロミック物質を含むことを特徴とする請求項５に記載の有機発光表示装置。
【請求項７】
前記薄膜封止層と前記基板との間に位置したフォトセンサーをさらに含むことを特徴とする請求項５に記載の有機発光表示装置。
【請求項８】
前記フォトクロミック物質は、銀ハロゲン化物、亜鉛ハロゲン化物、カドミウムハロゲン化物、銅ハロゲン化物、およびマグネシウムハロゲン化物からなる群より選択されたいずれか一つを含むことを特徴とする請求項１に記載の有機発光表示装置。
【請求項９】
前記フォトクロミック物質は、スピロピラン（ｓｐｉｒｏｐｙｒａｎｅ）、スピロナフトオキサジン染料（ｓｐｉｒｏｎａｐｈｔｈｏｘａｚｉｎｅ  ｄｙｅ）、ジアリールエテン誘導体（ｄｉａｒｙｌｅｔｈｅｎｅ  ｄｅｒｉｖａｔｉｖｅｓ）、ジヒドロピリジン（ｄｉｈｙｄｒｏｐｙｒｉｄｉｎｅ）、フリルフルギド誘導体（ｆｕｒｙｌｆｕｌｇｉｄｅ  ｄｅｒｉｖａｔｉｖｅｓ）、及びアゾベンゼン誘導体（ａｚｏｂｅｎｚｅｎｅ  ｄｅｒｉｖａｔｉｖｅｓ）からなる群より選択されたいずれか一つを含むことを特徴とする請求項１に記載の有機発光表示装置。
【発明の詳細な説明】
【技術分野】
【０００１】
本発明は有機発光表示装置に係り、より詳しくは外光反射を最少化して野外視認性を高めた有機発光表示装置に関するものである。
【背景技術】
【０００２】
有機発光表示装置の表示品質は、外光の影響を大きく受ける。つまり、有機発光表示装置に外光が入射すれば、有機発光素子と薄膜トランジスターを構成する各種層で外光反射が起こる。例えば、電極として使用される金属層は、高い光反射度を有するので入射した外光の大部分を反射する。このように反射された外光は、有機発光層から放射した光と混じって画面の視認性を低下させる。
【０００３】
上述した問題を解決するために、一般に有機発光表示装置では外光が入射する側に直線偏光フィルムとλ/４位相遅延フィルムを配置している。この構造において、外光は直線偏光フィルムとλ/４位相遅延フィルムを通過した後、内部層によって反射されると、偏光軸が９０度変化するので、直線偏光フィルムを透過することができず、結局吸収させるしかない。このような原理で外光反射を抑制して画面の視認性を高くすることができる。
【発明の概要】
【発明が解決しようとする課題】
【０００４】
ところが、前述した構造では有機発光層から放射した光（無偏光の光）の半分程度が直線偏光フィルムを通過することができずに遮断される。このような光損失が有機発光表示装置の効率（輝度／消費電力）を低くする原因として作用する。
【０００５】
本発明は、上記問題点を解決するためになされたものであって、その目的は、高い効率を維持しながら外光反射を最少化して、画面の視認性を高くすることができる有機発光表示装置を提供することにある。
【課題を解決するための手段】
【０００６】
本発明の一実施形態による有機発光表示装置は、有機発光素子が形成された基板と、有機発光素子を覆って基板上に固定される封止部材とを含む。封止部材はフォトクロミック物質を含み、外光によってフォトクロミック物質の固有色を放出する。
【０００７】
基板は半導体基板としての第１基板であり、封止部材は封止基板としての第２基板であることが好ましい。第２基板はガラスで形成されることが好ましい。有機発光表示装置は第１基板と第２基板とが重なる領域に位置したフォトセンサーをさらに含むことが好ましい。
【０００８】
他方で、封止部材は薄膜封止層であることが好ましい。薄膜封止層は互いに一つずつ交互に積層される複数の無機膜と複数の有機膜を含むことが好ましい。複数の無機膜と複数の有機膜のうち、基板から最も遠く離れた膜がフォトクロミック物質を含むことが好ましい。有機発光表示装置は薄膜封止層と基板との間に位置したフォトセンサーをさらに含むことが好ましい。
【０００９】
フォトクロミック物質は、銀ハロゲン化物、亜鉛ハロゲン化物、カドミウムハロゲン化物、銅ハロゲン化物、およびマグネシウムハロゲン化物からなる群より選択されたいずれか一つを含むことが好ましい。
【００１０】
他方で、フォトクロミック物質は、スピロピラン（ｓｐｉｒｏｐｙｒａｎｅ）、スピロナフトオキサジン染料（ｓｐｉｒｏｎａｐｈｔｈｏｘａｚｉｎｅ  ｄｙｅ）、ジアリールエテン誘導体（ｄｉａｒｙｌｅｔｈｅｎｅ  ｄｅｒｉｖａｔｉｖｅｓ）、ジヒドロピリジン（ｄｉｈｙｄｒｏｐｙｒｉｄｉｎｅ）、フリルフルギド誘導体（ｆｕｒｙｌｆｕｌｇｉｄｅ  ｄｅｒｉｖａｔｉｖｅｓ）、及びアゾベンゼン誘導体（ａｚｏｂｅｎｚｅｎｅ  ｄｅｒｉｖａｔｉｖｅｓ）からなる群より選択されたいずれか一つを含んでもよい。
【発明の効果】
【００１１】
本発明による有機発光表示装置は、強い外光の条件で封止部材が着色されて外光を吸収することにより、画面の視認性を高くすることができる。また、フォトセンサーを利用して封止部材の着色程度を検出し、有機発光層の発光強度を高くすることができる。従って、画面の視認性とコントラスト比を向上させることができ、消費電力を低くして有機発光素子の効率を上げることができる。
【図面の簡単な説明】
【００１２】
【図１】本発明の第１実施形態による有機発光表示装置の斜視図である。
【図２】本発明の第１実施形態による有機発光表示装置の断面図である。
【図３】図１に示したパネルアセンブリーの副画素回路を示した図である。
【図４】図１に示したパネルアセンブリーの部分拡大断面図である。
【図５】図１に示したパネルアセンブリーの部分拡大断面図である。
【図６】本発明の第２実施形態による有機発光表示装置の斜視図である。
【図７】本発明の第２実施形態による有機発光表示装置のブロック図である。
【図８】本発明の第３実施形態による有機発光表示装置の部分拡大断面図である。
【図９】本発明の第４実施形態による有機発光表示装置の断面図である。
【発明を実施するための形態】
【００１３】
以下、添付した図面を参考にして本発明の実施形態に対して本発明が属する技術分野における通常の知識を有する者が容易に実施できるように詳しく説明する。本発明は多様な異なる形態で実現でき、ここで説明する実施形態に限られない。
【００１４】
図１及び図２は各々本発明の第１実施形態による有機発光表示装置の斜視図及び断面図である。
【００１５】
図１及び図２を参考にすれば、第１実施形態の有機発光表示装置１０１は、表示領域（Ａ１０）とパッド領域（Ａ２０）を有し、表示領域（Ａ１０）において所定の映像を表示するパネルアセンブリー１２と、パッド領域（Ａ２０）に固定されるフレキシブル回路基板１４と、フレキシブル回路基板１４を通じてパネルアセンブリー１２と電気的に連結される印刷回路基板１６とを含む。
【００１６】
パネルアセンブリー１２は、第１基板（または半導体基板）１８と、第１基板１８より小さな大きさで形成されてシラント２０（図２参照）によって周縁が第１基板１８に固定される第２基板（または封止基板）２２とを含む。シラント２０の内側に第１基板１８と第２基板２２とが重なる領域に表示領域（Ａ１０）が位置し、シラント２０の外側の第１基板１８上にパッド領域（Ａ２０）が位置する。
【００１７】
第１基板１８の表示領域（Ａ１０）には複数の副画素がマトリックス形態に配置されて、表示領域（Ａ１０）とシラント２０との間またはシラント２０の外側で副画素を駆動させるためのスキャンドライバー（図示せず）及びデータドライバー（図示せず）が位置する。第１基板１８のパッド領域（Ａ２０）にはスキャンドライバーとデータドライバーに電気的信号を伝達するためのパッド電極（図示せず）が位置する。
【００１８】
第１基板１８のパッド領域（Ａ２０）には集積回路チップ２４が実装されて、フレキシブル回路基板１４がパッド電極と集積回路チップ２４に電気的に連結される。集積回路チップ２４とフレキシブル回路基板１４の周囲には保護膜２６が形成されて、パッド領域（Ａ２０）に形成されたパッド電極を覆って保護する。印刷回路基板１６には駆動信号を処理するための電子素子（図示せず）が実装されて、外部信号を印刷回路基板１６に伝送するためのコネクタ２８が設けられる。
【００１９】
パネルアセンブリー１２の後方にはパネルアセンブリー１２のベンディング強度を高めるためのベゼル（受け枠：図示せず）または耐衝撃強度を高めるための緩衝テープ（図示せず）等が配置されてもよい。パッド領域（Ａ２０）に固定されたフレキシブル回路基板１４は、パネルアセンブリー１２の後方に折りたたまれて、印刷回路基板１６がパネルアセンブリー１２の裏面と対向するようにする。
【００２０】
図３は図１に示したパネルアセンブリーの副画素回路構造を示した図であり、図４は図１に示したパネルアセンブリーの部分拡大断面図である。
【００２１】
図３及び図４を参照すれば、パネルアセンブリー１２の副画素は有機発光素子（Ｌ１）と駆動回路部で構成される。有機発光素子（Ｌ１）はアノード電極（正孔注入電極）３０、有機発光層３２、及びカソード電極（電子注入電極）３４を含み、駆動回路部は少なくとも二つの薄膜トランジスター（Ｔ１、Ｔ２）と少なくとも一つの保存キャパシター（Ｃ１）を含む。薄膜トランジスターは、基本的にスイッチングトランジスター（Ｔ１）と駆動トランジスター（Ｔ２）を含む。
【００２２】
スイッチングトランジスター（Ｔ１）は、スキャンライン（ＳＬ１）とデータライン（ＤＬ１）に連結され、スキャンライン（ＳＬ１）に入力されるスイッチング電圧によってデータライン（ＤＬ１）に入力されるデータ電圧を駆動トランジスター（Ｔ２）に伝送する。保存キャパシター（Ｃ１）は、スイッチングトランジスター（Ｔ１）と電源ライン（ＶＤＤ）に連結され、スイッチングトランジスター（Ｔ１）から伝送された電圧と電源ライン（ＶＤＤ）に供給される電圧との差に相当する電圧を貯蔵する。
【００２３】
駆動トランジスター（Ｔ２）は、電源ライン（ＶＤＤ）と保存キャパシター（Ｃ１）に連結されて、保存キャパシター（Ｃ１）に貯蔵された電圧としきい電圧との差の自乗に比例する出力電流（ＩＯＬＥＤ）を有機発光素子（Ｌ１）に供給し、有機発光素子（Ｌ１）は出力電流（ＩＯＬＥＤ）によって発光する。駆動トランジスター（Ｔ２）は、ソース電極３６、ドレイン電極３８、及びゲート電極４０を含み、有機発光素子（Ｌ１）のアノード電極３０が駆動トランジスター（Ｔ２）のドレイン電極３８に連結できる。副画素の構成は前述した例に限定されるものではなく、多様に変形できる。
【００２４】
前述した有機発光素子（Ｌ１）において、アノード電極３０は光反射特性を有する金属層で形成され、カソード電極３４は透明導電膜で形成される。そのため、有機発光層３２から放出した光がカソード電極３４と第２基板２２を透過して外部に放出される。アノード電極３０は、有機発光層３２から放出した光のうちの第１基板１８に向かって放出した光を、第２基板２２に向かって反射させて発光効率を上げる機能をする。第２基板２２は、有機発光素子（Ｌ１）を覆って保護する封止部材であり、ガラスで製作される。
【００２５】
第１の実施形態で外光が入射する側の基板、つまり、第２基板２２は紫外線変色原料であるフォトクロミック（ｐｈｏｔｏｃｈｒｏｍｉｃ）物質を含む。フォトクロミック物質を含む第２基板２２は、紫外線が照射されると色が現れ、紫外線が照射されないと最初の透明な状態に戻る性質を有する。フォトクロミック物質は、第２基板２２の製造段階でガラスと混合されて第２基板２２内部に均等に分散して位置する。図４でフォトクロミック物質４２を円形粒子に概略化して示した。
【００２６】
フォトクロミック物質４２としては、公知された全てのフォトクロミック物質が適用できる。例えば、フォトクロミック物質４２は、銀ハロゲン化物、亜鉛ハロゲン化物、カドミウムハロゲン化物、銅ハロゲン化物、及びマグネシウムハロゲン化物からなる群より選択されたものであることができる。他方では、フォトクロミック物質４２は、スピロピラン（ｓｐｉｒｏｐｙｒａｎｅ）、スピロナフトオキサジン染料（ｓｐｉｒｏｎａｐｈｔｈｏｘａｚｉｎｅ  ｄｙｅ）、ジアリールエテン誘導体（ｄｉａｒｙｌｅｔｈｅｎｅ  ｄｅｒｉｖａｔｉｖｅｓ）、ジヒドロピリジン（ｄｉｈｙｄｒｏｐｙｒｉｄｉｎｅ）、フリルフルギド誘導体（ｆｕｒｙｌｆｕｌｇｉｄｅ  ｄｅｒｉｖａｔｉｖｅｓ）、およびアゾベンゼン誘導体（ａｚｏｂｅｎｚｅｎｅ  ｄｅｒｉｖａｔｉｖｅｓ）からなる群より選択されたものであることもできる。第２基板２２に含まれるフォトクロミック物質４２は、前述した例に限定されるものではない。
【００２７】
このようにフォトクロミック物質４２を含む第２基板２２は、太陽光が弱い条件、例えば普通の室内では色を帯びなくて高い光透過率を有する。そして太陽光が強い条件で第２基板２２は、フォトクロミック物質４２によって色を帯びて外光を吸収する。つまり、有機発光表示装置１０１が適用された電子機器を昼間に野外で観察する場合、第２基板２２が色を帯びるようになる（図５参照）。
【００２８】
従って、第１実施形態の有機発光表示装置１０１は、太陽光が強い条件で外光反射を低くして、画面の視認性を高くすることができる。このとき、第２基板２２の着色によって有機発光層３２から放出した光の透過率も減少するが、その減少量は直線偏光フィルム及びλ/４位相遅延フィルムを適用した場合より少量であるため、有機発光表示装置１０１の効率（輝度／消費電力）を向上させることができる。
【００２９】
図６は本発明の第２実施形態による有機発光表示装置の斜視図である。
【００３０】
図６を参照すれば、第２実施形態の有機発光表示装置１０２は、パネルアセンブリー１２の内部にフォトセンサー４４を設置した構成を除いては、前述した第１実施形態の有機発光表示装置と同一な構成からなる。第１実施形態と同一部材については、同じ引用符号を付する。
【００３１】
フォトセンサー４４は、第１基板１８のうちの第２基板２２と重なる部位に位置する。フォトセンサー４４は、表示領域（Ａ１０）と副画素の間に位置するか、表示領域（Ａ１０）とシラント２０（図２参照）の間に位置することができる。図６では一例としてフォトセンサー４４が表示領域（Ａ１０）の外側に位置する場合を示した。フォトセンサー４４は、第２基板２２を透過した外光量を検出して、第２基板２２が固有色に着色される時、有機発光層３２（図４参照）の発光強さを高める機能をする。
【００３２】
図７は本発明の第２実施形態による有機発光表示装置のブロック図である。図７を参照すれば、有機発光表示装置はフォトセンサー４４、アナログ-デジタル（Ａ／Ｄ）コンバータ４６、データドライバー４８、及び表示領域（Ａ１０）が形成されたパネルアセンブリー１２を含む。
【００３３】
フォトセンサー４４は、周辺の光量を感知できる多様な種類のセンサーで構成される。例えば、フォトセンサー４４は、フォトダイオード、電荷結合素子、電荷注入素子、光電子増倍管、分光反射輝度系及びＣＭＯＳ感光素子のうちのいずれか一つで形成されることができる。フォトセンサー４４は、第２基板２２を透過した外光量に対応する電圧信号または電流信号を出力する。このとき、外光が強くなるほど第２基板２２は高い着色度を現すので、フォトセンサー４４は少量の外光を検出する。
【００３４】
Ａ／Ｄコンバータ４６は、フォトセンサー４４から出力した電圧または電流のアナログ信号を受信して、これをデジタル信号に変換する。データドライバー４８は、Ａ／Ｄコンバータ４６から得られたデジタル信号を用いて、第２基板２２の着色程度に相応する適切なデータ電圧をパネルアセンブリー１２に提供する。データドライバー４８から出力するデータ電圧は、赤色、緑色、及び青色の個別データ電圧からなる。このために、データドライバー４８はガンマ調節部５０を含む。
【００３５】
ガンマ調節部５０は、フォトセンサー４４で感知された第２基板２２の着色程度にそれぞれ相応する複数のガンマ曲線のレベルを含む。データドライバー４８は、ガンマ調節部５０に貯蔵されたデータ電圧設定値を用いて、パネルアセンブリー１２に提供されるデータ電圧を調節することができる。
【００３６】
前述した構成によって、第２実施形態の有機発光表示装置１０２は、第２基板２２の着色程度が大きくなるほど有機発光層３０（図４参照）の発光強さを高めて、画面の視認性とコントラスト比を高くすることができる。
【００３７】
図８は本発明の第３実施形態による有機発光表示装置の部分拡大断面図である。
【００３８】
図８を参照すれば、第３実施形態の有機発光表示装置１０３は、前述した第１実施形態の第２基板の代わりに封止部材として薄膜封止層５２が設けられる構成を除いては、前述した第１実施形態の有機発光表示装置と同一な構成からなる。第１実施形態と同一部材については、同じ引用符号を付する。
【００３９】
薄膜封止層５２は、互いに一つずつ交互に積層される二つ以上の無機膜５２１と、二つ以上の有機膜５２２からなる。図８では一例として二つの無機膜５２１と二つの有機膜５２２が一つずつ交互に積層されて薄膜封止層５２を構成する場合を示した。
【００４０】
無機膜５２１は、アルミニウム酸化物またはシリコン酸化物で形成されることができ、有機膜５２２は、エポキシ、アクリレート、及びウレタンアクリレートのうちのいずれか一つで形成されることができる。無機膜５２１は、外部の水分と酸素の浸透を抑制する役割を果たす。有機膜５２２は、無機膜５２１の内部ストレスを緩和したり無機膜５２１の微細クラック及びピンホールなどを満たす役割を果たす。
【００４１】
薄膜封止層５２を構成する複数の膜のうちの少なくとも一つの膜がフォトクロミック物質４２を含んで外光によって色を表示する。少なくとも一つの無機膜５２１がフォトクロミック物質４２を含む場合、フォトクロミック物質４２は無機膜５２１形成段階で無機膜形成物質と混合されて無機膜５２１内部に均等に位置する。少なくとも一つの有機膜５２２がフォトクロミック物質４２を含む場合、フォトクロミック物質４２は有機膜５２２形成段階で有機膜形成物質と混合されて有機膜５２２内部に均等に位置する。
【００４２】
薄膜封止層５２を構成する複数の膜のうちの最上部に位置する膜（第１基板１８から最も遠く離れた膜）がフォトクロミック物質４２を含むこともできる。この場合、薄膜封止層５２を構成する膜による外光反射を最少化することができる。図８では薄膜封止層５２の最上部に位置する有機膜５２２にフォトクロミック物質４２が含まれた場合を示した。
【００４３】
図９は本発明の第４実施形態による有機発光表示装置の断面図である。
【００４４】
図９を参照すれば、第４実施形態の有機発光表示装置１０４は、薄膜封止層５２の下部にフォトセンサー４４を設置した構成を除いては、前述した第３実施形態の有機発光表示装置と同一な構成からなる。第３実施形態と同一部材については、同じ引用符号を付する。
【００４５】
フォトセンサー４４は、第１基板１８のうちの薄膜封止層５２と重なる部位に位置する。フォトセンサー４４は表示領域（Ａ１０）と副画素の間に位置するか、表示領域（Ａ１０）の外側に位置することができる。図９では一例としてフォトセンサー４４が表示領域（Ａ１０）の外側に位置する場合を示した。
【００４６】
フォトセンサー４４は、薄膜封止層５２を透過した外光量を検出して、薄膜封止層５２が着色される時、有機発光層３２（図８参照）の発光強さを高める機能をする。フォトセンサー４４は、Ａ／Ｄコンバータ及びデータドライバーと連結される。フォトセンサー４４、Ａ／Ｄコンバータ、データドライバー、及びガンマ調節部の構成と機能は、前述した第２実施形態の有機発光表示装置と同一に行われる。
【００４７】
上記では本発明の好ましい実施形態について説明したが、本発明はこれに限定されるものではなく、特許請求の範囲と発明の詳細な説明及び添付した図面の範囲内で多様に変形して実施できて、これもまた本発明の範囲に属することは当然である。
【符号の説明】
【００４８】
１０１、１０２、１０３、１０４  有機発光表示装置
Ａ１０  表示領域
Ａ２０  パッド領域
１２  パネルアセンブリー
１４  フレキシブル回路基板
１６  印刷回路基板
１８  第１基板
２０  シラント（ガラスパテなど広義の充填接着剤）
２２  第２基板
２４  集積回路チップ
２６  保護膜
２８  コネクタ
３０  アノード電極
３２  有機発光層
３４  カソード電極
３６  ソース電極
３８  ドレイン電極
４０  ゲート電極
４２  フォトクロミック物質
４４  フォトセンサー
４６  Ａ／Ｄコンバータ
４８  データドライバー
５０  ガンマ調節部
５２  薄膜封止層
５２１  無機膜
５２２  有機膜
【図１】
2010153352.tif 000003
【図２】
2010153352.tif 000004
【図３】
2010153352.tif 000005
【図４】
2010153352.tif 000006
【図５】
2010153352.tif 000007
【図６】
2010153352.tif 000008
【図７】
2010153352.tif 000009
【図８】
2010153352.tif 000010
【図９】
2010153352.tif 000011